(57)【要約】【課題】  スライムの破砕、浮遊の確実性の向上、およびその処理効率の向上を、構成の複雑化、平面外形の大型化、および重量化等を伴うことなく実現可能とする。【解決手段】  その基体となる水中サンドポンプ１２とは別体、別駆動の攪拌水流発生源となるプロペラ式水中攪拌機１８を、少なくとも孔底方向への攪拌水流を発生可能に、この水中サンドポンプの下部位置に配するとともに、この水中サンドポンプの吸込口１４と同等の有効吸い込み面積のダクト吸込口２０ａをその下端部に有した垂下型の延長ダクト２０を、水中サンドポンプの吸込口に対し、少なくとも上端周縁封止のもとで固定的に連結することにより、そのダクト吸込口を、水中サンドポンプの吸込口に代わる実質的な吸込口として規定した。【選択図】          図１
2005120784.tif 000002
【特許請求の範囲】
【請求項１】
削孔の孔底に沈積したスライムを、基体となる縦軸型の水中サンドポンプによる吸い上げのもとで、その削孔内の安定液と共に削孔外に排出、除去するスライム処理装置において、
上記水中サンドポンプとは別体、別駆動の攪拌水流発生源となるプロペラ式水中攪拌機を、少なくとも孔底方向への攪拌水流を発生可能に、当該水中サンドポンプの下部位置に配するとともに、当該水中サンドポンプの吸込口と同等の有効吸い込み面積のダクト吸込口をその下端部に有した垂下型の延長ダクトを、当該水中サンドポンプの吸込口に対し、少なくとも上端周縁封止のもとで固定的に連結することにより、そのダクト吸込口を、当該水中サンドポンプの吸込口に代わる実質的な吸込口として規定したことを特徴とするスライム処理装置。
【請求項２】
前記延長ダクトのダクト吸込口が、前記プロペラ式水中攪拌機のプロペラより下方に延出して設けられた請求項１記載のスライム処理装置。
【請求項３】
前記延長ダクトの、少なくともダクト吸込口が、前記水中サンドポンプの中心位置を通る平面略一文字形状に形成された請求項１または２記載のスライム処理装置。
【請求項４】
前記延長ダクトの、少なくともダクト吸込口が、前記水中サンドポンプの中心位置を通る平面略十文字形状に形成された請求項１または２記載のスライム処理装置。
【請求項５】
前記水中サンドポンプの直径方向でのダクト吸込口の長さが、この水中サンドポンプの直径より長く形成された請求項１ないし４のいずれか記載のスライム処理装置。
【請求項６】
前記水中サンドポンプ、前記プロペラ式水中攪拌機および前記延長ダクトが、略円筒状の保護枠内に収容配置されるとともに、この保護枠によって、孔底からの、当該延長ダクトのダクト吸込口の離間配置を確保可能とした請求項１ないし５のいずれか記載のスライム処理装置。
【発明の詳細な説明】
【技術分野】
【０００１】
本発明は、削孔の孔底に沈積したスライムを、水中サンドポンプでの吸い上げにより削孔外に排出、除去するスライム処理装置に関する。
【背景技術】
【０００２】
アースドリル工法等の場所打ち杭工法における、安定液を使用する削孔にあたっては、削孔の際に発生するスライムが孔底に沈殿し堆積することが避けられない。しかしながら、孔底に沈積したスライムは、場所打ち杭、あるいは孔壁の支持力自体を低下させる原因となるため、通常は、水中サンドポンプ等を主体としたスライム処理装置によって、この孔底のスライムを削孔外に排出、除去することが行われている。
【０００３】
ところで、孔底に沈積したスライムは、水中サンドポンプによる安定液の単純な吸い上げのもとでは容易に除去できない。そこで、孔底に沈積したスライムを、孔底付近での安定液の攪拌によって安定液中に浮遊させ、その浮遊したスライムを安定液と共に吸い上げる構成のスライム処理装置が種々提供されている。
【０００４】
その一例として、たとえば特許第３３２３９８８号公報に開示の構成が例示できる。
【０００５】
このスライム処理装置は、水中サンドポンプの駆動軸に設けられたスクリューを攪拌水流の発生源とするものであり、その下方に設けたガイド板による、垂直下方向および水平放射方向への攪拌水流の振り分けのもとで、より広範囲での安定液の攪拌をはかろうとするものである。
【０００６】
この構成のスライム処理装置によれば、比較的広範囲での安定液の攪拌は可能となる。しかし、垂直下方向の攪拌水流により破砕、浮遊したスライムを、水平放射方向への攪拌水流のもとで広範囲に拡散してしまうため、その上部に位置する水中サンドポンプの吸込口からのスライムの吸い込み効率、つまりその処理効率は低下しやすい。
【０００７】
また、水中サンドポンプの下部位置にガイド板を配するこの構成においては、攪拌水流の発生源となるスクリューが、その距離分だけ孔底から離反されることになるため、流速の低下に伴ったスライムの破砕、浮遊効率の低下も避けられない。
【０００８】
ここで、この種のスライム処理装置の別例として、たとえば特開２００２−８８７５８号公報に開示の構成がある。
【０００９】
この別例のスライム処理装置においては、気水を噴射可能とするノズルが、水中サンドポンプの吸込口の側部に配されており、これによれば、孔底に沈積したスライムに対する気水の直接的な噴射が可能となるため、前出の公知例に比較して、孔底のスライムに対する破砕、浮遊効率は向上される。そして、その噴射により破砕された、広範囲に拡散する前のスライムを、その近傍に位置する水中サンドポンプの吸込口による吸い込むことが可能となるため、その処理効率も確実に向上される。
【００１０】
しかしながら、この別例のスライム処理装置においては、平面放射方向に延びた配管にノズルが設けられるため、その平面外形の大型化が避けられない。このような平面外形の大型化は、小径の削孔に対する適応性に劣るため、削孔の適応径を限定する虞がある。
【００１１】
そして、ノズルからの気水の噴射範囲は狭いため、一度に広範囲でのスライムの破砕を得るためには、多数のノズルが必要となるため、その構成の複雑化も避けられなくなる。
【００１２】
さらに、この別例のスライム処理装置においては、吸い上げ用の水中サンドポンプのほかに、気水噴射用の水中ポンプが必要となることから、その構成の複雑化に加えた大型化、重量化等も伴われやすい。
【特許文献１】特許第３３２３９８８号公報
【特許文献２】特開２００２−８８７５８号公報
【発明の開示】
【発明が解決しようとする課題】
【００１３】
解決しようとする問題点は、従来の構成であると、スライムの破砕、浮遊効率、およびその処理効率が向上する半面、装置としての構成の複雑化、全体的な平面外形の大型化、およびその重量化等を伴うことが避けられないという点である。
【課題を解決するための手段】
【００１４】
請求項１に係る本発明は、その基体となる水中サンドポンプとは別体、別駆動の攪拌水流発生源となるプロペラ式水中攪拌機を、少なくとも孔底方向への攪拌水流を発生可能に、この水中サンドポンプの下部位置に配するとともに、この水中サンドポンプの吸込口と同等の有効吸い込み面積のダクト吸込口をその下端部に有した垂下型の延長ダクトを、水中サンドポンプの吸込口に対し、少なくとも上端周縁封止のもとで固定的に連結することにより、そのダクト吸込口を、水中サンドポンプの吸込口に代わる実質的な吸込口として規定したことを、その最も主要な特徴としている。
【００１５】
また、請求項２に係る本発明は、延長ダクトのダクト吸込口をプロペラ式水中攪拌機のプロペラより下方に延出して設けたことを、その最も主要な特徴としている。
【００１６】
さらに、請求項３に係る本発明は、延長ダクトの、少なくともダクト吸込口を、水中サンドポンプの中心位置を通る平面略一文字形状に形成したことを、その最も主要な特徴としている。
【００１７】
そして、請求項４に係る本発明は、延長ダクトの、少なくともダクト吸込口を、水中サンドポンプの中心位置を通る平面略十文字形状に形成したことを、その最も主要な特徴としている。
【００１８】
また、請求項５に係る本発明は、水中サンドポンプの直径方向でのダクト吸込口の長さをこの水中サンドポンプの直径より長く形成したことを、その最も主要な特徴としている。
【００１９】
さらに、請求項６に係る本発明は、水中サンドポンプ、プロペラ式水中攪拌機および延長ダクトを、略円筒状の保護枠内に収容配置したことを、その最も主要な特徴としている。
【発明の効果】
【００２０】
請求項１に係る本発明によれば、攪拌水流発生源となるプロペラ式水中攪拌機を、水中サンドポンプの下部位置に配するとともに、垂下型の延長ダクトを、水中サンドポンプの吸込口の下方に延ばして配設しているため、孔底近傍位置への攪拌水流発生源および吸込口の配置が、平面外形の大型化を伴うことなく行える、つまり小径の削孔に対する適応性が確実に向上されるという利点がある。
【００２１】
そして、気水の噴射等のための水中ポンプと比較して、プロペラ式水中攪拌機は小型かつ軽量であるため、スライム処理装置としての小型化、軽量化が容易かつ十分にはかられるという利点もある。
【００２２】
さらに、プロペラ式水中攪拌機を攪拌水流発生源として利用しているため、ノズルから噴射される気水等に比較して、その放射範囲は確実に拡大される。つまり、プロペラ式水中攪拌機単体による攪拌範囲が比較的広く得られるため、ノズル等に比較して、その数は十分に抑制できる。従って、その構成の簡素化が十分にはかられる。
【００２３】
また、請求項２に係る本発明によれば、延長ダクトのダクト吸込口をプロペラ式水中攪拌機のプロペラより下方に延出して設けているため、孔底近傍位置へのダクト吸込口の確実な配置により、スライム処理効率が一層向上されるという利点がある。
【００２４】
さらに、請求項３に係る本発明によれば、延長ダクトの、少なくともダクト吸込口を、水中サンドポンプの中心位置を通る平面略一文字形状に形成しているため、水中サンドポンプの下部位置におけるプロペラ式水中攪拌機のおよび延長ダクトの並置が、スライム処理装置としての平面外形を大型化することなく可能となるという利点がある。
【００２５】
そして、請求項４に係る本発明によれば、延長ダクトの、少なくともダクト吸込口を、水中サンドポンプの中心位置を通る平面略十文字形状に形成しているため、大径の削孔、あるいは拡底孔への適応性が確実に向上されるという利点がある。
【００２６】
また、請求項５に係る本発明によれば、水中サンドポンプの直径方向でのダクト吸込口の長さが、この水中サンドポンプの直径より長く形成されているため、吸い込み可能幅の拡張が容易に可能となるという利点がある。
【００２７】
さらに、請求項６に係る本発明によれば、水中サンドポンプ、プロペラ式水中攪拌機および延長ダクトを、略円筒状の保護枠内に収容配置しているため、スライム処理装置の安全性確保が容易かつ十分にはかられるという利点がある。
【発明を実施するための最良の形態】
【００２８】
スライムの破砕、浮遊の確実性の向上、およびその処理効率の向上を、構成の複雑化、平面外形の大型化、および重量化等を伴うことなく実現可能とした。
【実施例】
【００２９】
図１は、この発明の第１実施例に係るスライム処理装置１０の概略正面図であり、これを見るとわかるように、このスライム処理装置は、縦軸型の水中サンドポンプ１２をその基体として形成されるものである。
【００３０】
この水中サンドポンプ１２は、流体用の吸込口１４をその下端部に有した、いわゆる縦軸型の電動水中サンドポンプであり、その吸込口から吸い込んだ流体を、その吸い上げのもとで排出管１６から排出するものとして構成されている。
【００３１】
なお、この水中サンドポンプ１２としては一般的な市販品が利用できるとともに、この水中サンドポンプの基本構成自体はこの発明の趣旨でないため、この水中サンドポンプに対するここでの詳細な説明は省略する。
【００３２】
ここで、この発明のスライム処理装置１０においては、水中サンドポンプ１２とは別体、別駆動のプロペラ式水中攪拌機１８が、攪拌水流発生源としてこの水中サンドポンプの下部位置、詳しくは、平面上で水中サンドポンプと少なくとも部分的に重なる位置に配されている。
【００３３】
プロペラ式水中攪拌機１８は、プロペラ１８ａの回転によって削孔内の安定液中に攪拌水流を発生させるものであり、その攪拌水流の方向は、少なくとも孔底方向を含む下向きとして具体化されている。
【００３４】
なお、このプロペラ式水中攪拌機１８としては一般的な市販品が利用できるとともに、このプロペラ式水中攪拌機の基本構成自体はこの発明の趣旨でないため、このプロペラ式水中攪拌機に対する詳細な説明は省略する。
【００３５】
また、このプロペラ式水中攪拌機１８の数としては、たとえば２機が例示できる。しかし、その数は、この限りではない。
【００３６】
さらに、このプロペラ式水中攪拌機１８は、水中サンドポンプ１２との別駆動であるとはいえ、その操作性の点からいえば、水中サンドポンプの作動に連動する、いわゆる同期作動式であることが望ましい。
【００３７】
ところで、このような、プロペラ式水中攪拌機１８を水中サンドポンプ１２の下部位置に配する構成においては、水中サンドポンプの吸込口１４、孔底間での、少なくともプロペラ式水中攪拌機全長分相当の距離の離反が避けられない。そこで、この発明においては、水中サンドポンプの吸込口１４と同等の有効吸い込み面積のダクト吸込口２０ａをその下端部に有した垂下型の延長ダクト２０を、水中サンドポンプの吸込口に対し、少なくとも上端周縁封止のもとで固定的に連結することにより、そのダクト吸込口を、水中サンドポンプの吸込口に代わる実質的な吸込口として規定している。
【００３８】
図１に加えて図２を見るとわかるように、この延長ダクト２０においては、下方に延びる中空のダクト主部２０ｂの下端にダクト吸込口２０ａが規定、形成されており、このダクト吸込口は、複数の穿孔２１の組み合わせとして成立されている。
【００３９】
そして、このダクト吸込口２０ａの有効吸い込み面積は、水中サンドポンプの吸込口１４におけるものと同等のものとして、この発明においては具体化されている。
【００４０】
ここでいう吸込口の有効吸い込み面積とは、その吸込口をなす穿孔の総面積をいい、ダクト吸込口２０ａの有効吸い込み面積を水中サンドポンプの吸込口１４のものと同等とすることによって、その吸い込み能力をほぼ同等に確保することが可能となる。
【００４１】
なお、この第１実施例におけるダクト吸込口２０ａの平面形状としては、たとえば、図２に示すような略一文字形状が例示できる。
【００４２】
この延長ダクト２０は、ダクト主部２０ｂの上端に、たとえば略円筒状の取付け基部２０ｃを一体に有する形態として形成され、水中サンドポンプの吸込口１４周りへのこの取付け基部の固定のもとで、水中サンドポンプへの延長ダクトの連結、取り付けがはかられている。
【００４３】
ここで、この延長ダクト２０は、水中サンドポンプの吸込口１４に対し、少なくともその上端周縁封止のもとで固定的に連結されるものとして具体化されている。
【００４４】
図１に示すように、この第１実施例においては、延長ダクトの取付け基部２０ｃを、水中サンドポンプの吸込口１４周りに、たとえばパッキング材２４の介在のもとで被装配置し、これを、たとえばボルト止め等により固定することによって、水中サンドポンプの吸込口に対する、上端周縁封止を伴った延長ダクト２０の連結として具体化している。
【００４５】
このような構成においては、水中サンドポンプの吸込口１４が延長ダクト２０によって覆われるため、この延長ダクトのダクト吸込口２０ａのみが、水中サンドポンプの吸込口に代わる実質的な吸込口として規定されることになる。
【００４６】
なお、図１を見るとわかるように、この第１実施例の形態においては、水中サンドポンプの吸込口１４の周面１４ａに形成された穿孔が、延長ダクトの取付け基部２０ｃおよびパッキング材２４によって封止されることになる。しかしながら、水中サンドポンプの吸込口１４の下面１４ｂに形成された穿孔（図示しない）は封止されることなく残されるため、水中サンドポンプの吸込口の機能的な部分は、なんら変わることなく維持される。
【００４７】
また、図１に示すように、この第１実施例においては、延長ダクトのダクト主部２０ｂに固定された支持ブラケット２６を介して、プロペラ式水中攪拌機１８は延長ダクト２０に対して取り付けられる。そして、この実施例においては、その垂直下方が、プロペラ式水中攪拌機１８による攪拌水流の流動方向として規定されている。
【００４８】
図１に示すように、このような構成のスライム処理装置１０は、安定液の注入、充填された削孔内の、その底部（孔底２８）付近に、たとえばクレーン等によるその懸吊のもとで挿入、沈下される。そして、水中サンドポンプ１２の作動と共にプロペラ式水中攪拌機１８を駆動させることにより、このプロペラ式水中攪拌機による水流として、下向き（垂直下方）の攪拌水流が削孔内の安定液中に発生される。
【００４９】
図示のように、このプロペラ式水中攪拌機１８は、水中サンドポンプ１２の下部位置にあるため、削孔内へのスライム処理装置１０の挿入、沈下のもとで、このプロペラ式水中攪拌機を孔底２８付近に配置することは容易である。そして、この孔底２８付近でプロペラ式水中攪拌機１８を駆動させることによって、このプロペラ式水中攪拌機からの、その距離の近いことによる強い攪拌水流が、孔底２８に直接的に当てられる。
【００５０】
このような強い攪拌水流を孔底２８に直接的に当てることによって、孔底に沈積したスライムに対する破砕、浮遊効率は確実に高められる。
【００５１】
この下向きの、強い攪拌水流により破砕されたスライムは、この攪拌水流に乗って安定液中を浮遊する。そして、その浮遊したスライムを、延長ダクトのダクト吸込口２０ａから吸い込むことによって、その削孔からの、孔底のスライムの排出、除去は行われる。
【００５２】
ここで、この発明においては、削孔内へのスライム処理装置１０の挿入、沈下により、延長ダクトのダクト吸込口２０ａも孔底近傍に配置されるため、プロペラ式水中攪拌機１８からの攪拌水流により破砕、浮遊されたスライムを、その破砕、浮遊の直後、つまり安定液中で広範囲に拡散される前に、ダクト吸込口から吸い込むことが、この発明のスライム処理装置によれば十分に可能となる。
【００５３】
上記のように、この発明のスライム処理装置１０によれば、強い攪拌水流の確保、および広範囲に拡散される前のスライムの吸い込みが容易かつ十分に可能となるため、スライムの破砕、浮遊効率、およびその処理効率の向上が確実にはかられる。
【００５４】
そして、攪拌水流発生源として利用されるプロペラ式水中攪拌機１８は、気水等を発生させる一般的な水中ポンプより小型かつ軽量であるため、このプロペラ式水中攪拌機を利用するこの発明のスライム処理装置１０によれば、その全体的な小型化、軽量化が十分にはかられることになる。
【００５５】
また、この発明においては、プロペラ式水中攪拌機１８を水中サンドポンプ１２の下部位置に配設しているため、スライム処理装置１０としての平面外形は、何らかの攪拌水流発生源を水中サンドポンプの側部に並置する構成に比較して十分に抑制されることになる。つまり、この発明によれば、プロペラ式水中攪拌機１８を水中サンドポンプ１２に併設する構成であるにも拘らず、その平面外形の大型化が確実に防止される。
【００５６】
このように、スライム処理装置１０の平面外形の大きさを抑制させれば、小径の削孔に対する適応性が確実に向上される。
【００５７】
また、この発明のスライム処理装置１０においては、プロペラ式水中攪拌機１８を攪拌水流発生源として利用しているため、ノズルから噴射される気水等に比較して、その放射範囲は確実に拡大される。つまり、プロペラ式水中攪拌機単体による攪拌範囲が比較的広く得られるため、ノズル等に比較して、その数は十分に抑制できる。従って、その構成の簡素化が十分にはかられる。
【００５８】
なお、この第１実施例においては、２機をプロペラ式水中攪拌機１８の数として具体化しているが、これに限定されず、たとえば１機として、その数を具体化してもよい。
【００５９】
ここで、この第１実施例においては、延長ダクトのダクト吸込口２０ａを、ダクト主部２０ｂの下端面のみの穿孔２１により形成されたものとして具体化しているが、孔底付近に位置可能であれば足りるため、この下端面に加えて、その下端部側面に穿孔を設ける構成としてもよい。ただし、このダクト主部２０ｂの下端面、下端部側面の穿孔の総面積が、ダクト吸込口２０ａの有効吸い込み面積となるため、この場合においては、その穿孔の数の調整がダクト主部の下端面、下端部側面間で必要となる。
【００６０】
また、上記中においては、延長ダクトのダクト吸込口２０ａの延出位置の例を特に具体化していないが、このダクト吸込口の延出位置は、図１に示すような、たとえば、プロペラ式水中攪拌機のプロペラ１８ａより下方であることが好ましい。
【００６１】
このような、ダクト吸込口２０ａの延出位置であれば、孔底近傍位置へのダクト吸込口の配置が容易かつ確実に行われるため、スライム処理効率の向上が確実にはかられる。
【００６２】
ここで、水中サンドポンプ１２、プロペラ式水中攪拌機１８および延長ダクト２０を、たとえば略円筒状の保護枠３０内に収容配置するとともに、この保護枠によって、孔底からの、ダクト吸込口２０ａの離間配置を確保可能とするとよい（図１の一点鎖線参照）。
【００６３】
このような構成であれば、外力に対する水中サンドポンプ１２、プロペラ式水中攪拌機１８および延長ダクト２０の隔離がはかられるため、クレーン等による懸吊時における、このスライム処理装置１０の安全性確保が容易かつ十分にはかられる。そして、図１に示すように、保護枠３０の下端面とダクト吸込口２０ａとの間に特定の隙間Ｌ１を設けることで、孔底２８に対するダクト吸込口の、この隙間分だけの離間配置が容易に確保できるため、その安全性、およびその作業の容易化が十分に可能となる。
【００６４】
なお、この保護枠３０は、その内外での安定液の流通を保障する開口を下端面、および周面等に有した非閉鎖型のものであり、特にその下端面は、攪拌水流の円滑な流動、およびスライムの円滑な浮遊を保障可能とする、たとえば荒い網目状であることが好ましい。
【００６５】
また、上記中においては、延長ダクトのダクト吸込口２０ａの長さ例を特に具体化していないが、このダクト吸込口の長手辺の長さＬ２は、図３に示すように、たとえば、水中サンドポンプの吸込口１４の直径Ｌ３より長い（大きい）ことが好ましい。
【００６６】
このような構成であれば、延長ダクトのダクト吸込口２０ａの有効吸い込み領域が、この長いダクト吸込口２０ａにより広範囲に得られるため、その吸い込み効率の向上がより一層望める。
【００６７】
さらに、この実施例においては、その垂直下方を、プロペラ式水中攪拌機１８による攪拌水流の流動方向として規定しているが、その攪拌水流の方向は、少なくとも孔底方向を含む下向きであれば足りるため、この垂直下方に限定されるものではなく、たとえば、斜め下方への攪拌水流を発生可能に、プロペラ式水中攪拌機を設定してもよい。
【００６８】
しかしながら、プロペラ式水中攪拌機１８による攪拌水流の流動方向を垂直下方とすれば、それにより浮遊されるスライムの拡散が狭い範囲内に抑制されるため、処理効率の向上が一層高く確保可能となる。
【００６９】
ここで、この第１実施例においては、延長ダクトのダクト吸込口２０ａの平面形状を略一文字形状として具体化しているが、これに限定されず、たとえば、図４に示すような平面略十文字形状に、このダクト吸込口を形成してもよい。
【００７０】
この発明の第２実施例として示す、図５のスライム処理装置１１０を見るとわかるように、この第２実施例においても、水中サンドポンプ１２をその基体とすることに変わりはなく、また、この水中サンドポンプの下部位置にプロペラ式水中攪拌機１８を配設することは、この第２実施例においても同様であるため、これらに対する説明は、上記の第１実施例におけるものを援用するものとして、ここでは省略する。
【００７１】
この第２実施例においては、延長ダクトのダクト主部１２０ｂが、ダクト吸込口１２０ａの平面形状に一致しない、たとえば中空の角柱状に形成されており、このダクト主部を介してダクト吸込口、およびその上端の取付け基部１２０ｃ間が連通可能に連結されている。
【００７２】
なお、このような平面略十字形状のダクト吸込口１２０ａであっても、上記の第１実施例と同様に、このダクト吸込口における有効吸い込み面積は、水中サンドポンプの吸込口１４のものと同等に形成される。
【００７３】
このような、平面略十文字形状のダクト吸込口１２０ａであれば、各辺間の間隔を大きく空けることなく、その一辺の長さＬ４を比較的長く形成することが可能となる。つまり、比較的広範囲が、このダクト吸込口１２０ａによるスライムの吸い込み可能範囲として規定できるため、その作業効率の向上が、これによれば一層はかられる。
【００７４】
なお、第１実施例におけるダクト吸込口２０ａの形態は、孔径の小さな削孔での作業時に有効であり、また、この第２実施例におけるダクト吸込口１２０ａの形態は、孔径の大きな削孔、あるいは孔底の拡径された拡底孔等に、特に有効に利用可能である。
【００７５】
また、図５に示すように、この第２実施例のスライム処理装置１１０においても、保護枠１３０による水中サンドポンプ、プロペラ式水中攪拌機、および延長ダクトの収容は可能であるが、この第２実施例の形態においては、図示のような略スカート形状に、その下端部を形成することが好ましい。
【００７６】
上述した実施の形態は、この発明を説明するためのものであり、この発明を何等限定するものでなく、この発明の技術範囲内で変形、改造等の施されたものも全てこの発明に包含されることはいうまでもない。
【図面の簡単な説明】
【００７７】
【図１】この発明の第１実施例に係るスライム処理装置の、一部破断の概略正面図である。
【図２】延長ダクトの概略斜視図である。
【図３】延長ダクトを主とした、スライム処理装置の概略部分側面図である。
【図４】この発明の第２実施例に係るスライム処理装置の、一部破断の概略正面図である。
【図５】この発明の第２実施例における、延長ダクトの概略斜視図である。
【符号の説明】
【００７８】
１０  スライム処理装置
１２  水中サンドポンプ
１４  水中サンドポンプの吸込口
１８  プロペラ式水中攪拌機
２０  延長ダクト
３０  保護枠
【図１】
2005120784.tif 000003
【図２】
2005120784.tif 000004
【図３】
2005120784.tif 000005
【図４】
2005120784.tif 000006
【図５】
2005120784.tif 000007